(57)【特許請求の範囲】
【請求項１】
顎骨内に埋入されたインプラントフィクスチャーの口腔内側に嵌合される歯科用ベース部の埋入部を、歯科用切削ブロック部の埋入孔に挿入して接続する歯科用アバットメントの接続構造であって、
前記歯科用切削ブロック部は、前記埋入孔の内周面に、第１平坦面と、前記第１平坦面に対向する位置に設けられる突起部を有し、
前記歯科用ベース部は、前記埋入部の外周面に前記第１平坦面と対応する第２平坦面を有し、
前記歯科用ベース部と前記歯科用切削ブロック部とが、前記第１平坦面及び前記第２平坦面と前記突起部とにより接続された状態で固定されることを特徴とする歯科用アバットメントの接続構造。
【請求項２】
前記突起部は、前記歯科用切削ブロック部の前記埋入孔の挿入方向に沿って形成され、且つ前記埋入孔の挿入方向に対して直交する方向に沿って傾斜するテーパ面を有することを特徴とする請求項１に記載した歯科用アバットメントの接続構造。
【請求項３】
前記突起部は、切削可能な材質であることを特徴とする請求項１に記載の歯科用アバットメントの接続構造。
【請求項４】
前記第１平坦面及び前記第２平坦面は、前記歯科用切削ブロック部及び前記歯科用ベース部の軸方向に沿って延在していることを特徴とする請求項１に記載の歯科用アバットメントの接続構造。
【発明の詳細な説明】
【技術分野】
【０００１】
本発明は、歯科用アバットメントの接続構造に関する。
【背景技術】
【０００２】
歯科インプラント治療において、顎骨内に埋入されたインプラントフィクスチャーに歯牙の機能、形態を付与した人工物を接合する際に、歯科用アバットメント（以下、単にアバットメントともいう）と呼ばれる部材を介して接合することが多い。アバットメントはインプラントフィクスチャーの口腔内側および、歯牙の機能、形態を付与した人工物に嵌合する形態を付与した部材である。近年、この歯科用アバットメントを歯科インプラント治療後における機能性を向上するためにインプラントフィクスチャーの口腔内側と接する歯科用ベース部（以下、単にベース部ともいう）と歯科用切削ブロック部（以下、単に切削ブロック部ともいう）にわけて加工し、両者を接着剤などで強固に接続させて準備することが行われている。【０００３】
上記のように歯科用アバットメントはベース部と切削ブロック部とを接着固定する場合、ベース部の埋入部と切削ブロック部の埋入孔との間に、接着剤用の間隙を確実に確保することが重要である。また、ベース部の埋入部を切削ブロック部の埋入孔内に強固に固定して、切削ブロック部の回転等のズレを防止することも重要である。【０００４】
上記の点を鑑みて、例えば、特許文献１には、ベース部の埋入部の外周面に軸方向に平行な３つ以上の突起条部を設けて、切削ブロック部の埋入孔とベース部の埋入部との間に接着剤用の隙間を形成する構成が開示されている。【０００５】
また、複数の突起条部は、長さ０．０５〜３ｍｍ、幅０．０５〜０．２ｍｍ、高さ０．０１〜２ｍｍとされて、均一な幅の接着剤用の隙間を形成して、十分な接着強度を発揮できると記載されている。
【先行技術文献】
【特許文献】
【０００６】
【特許文献１】特開２０１２−２４５３２２号公報
【発明の概要】
【発明が解決しようとする課題】
【０００７】
しかし、複数の突起条部を上記の寸法で正確に形成することは難しく、誤差が生じてしまう。切削ブロック部の埋入孔と、ベース部の埋入部は筒形形状であるため、両者を接着させるために、嵌合させた際、誤差が生じていると切削ブロック部とベース部は回転方向にガタつきが生じ、接着後のベース部に対する切削ブロック部の向きを正確に決めることができない。【０００８】
切削ブロック部は歯牙の機能、形態を付与した人工物と嵌合し、歯牙の機能、形態を付与した人工物の向きを規制する部材であるため、向きに狂いが生じていると、歯科インプラント治療後の咬み合わせを狂わせてしまい、良好な治療が行えなくなってしまう。【０００９】
本発明の一つの実施形態の目的は、ベース部と切削ブロック部の回転等のズレを防止できる歯科用アバットメントの接続構造を提供することにある。
【課題を解決するための手段】
【００１０】
上記の課題は、
顎骨内に埋入されたインプラントフィクスチャーの口腔内側に嵌合される歯科用ベース部の埋入部を、歯科用切削ブロック部の埋入孔に挿入して接続する歯科用アバットメントの接続構造であって、
前記歯科用切削ブロック部は、前記埋入孔の内周面に、第１平坦面と、前記第１平坦面に対向する位置に設けられる突起部を有し、
前記歯科用ベース部は、前記埋入部の外周面に前記第１平坦面と対応する第２平坦面を有し、
前記歯科用ベース部と前記歯科用切削ブロック部とが、前記第１平坦面及び前記第２平坦面と前記突起部とにより接続された状態で固定されることを特徴とする歯科用アバットメントの接続構造により解決できる。
【発明の効果】
【００１１】
本発明によれば、ベース部と切削ブロック部の回転等のズレを防止できる歯科用アバットメントの接続構造を提供できる。
【図面の簡単な説明】
【００１２】
【図１】本発明の実施形態に係る歯科用アバットメントの接続構造の一例を示す一部断面図である。
【図２】切削ブロック部の底面図である。
【図３】図２のＩＩ−ＩＩ矢視断面図である。
【図４Ａ】ベース部の正面図である。
【図４Ｂ】ベース部の平面図である。
【図５】ベース部と切削ブロック部を接続した状態を示す一部断面図である。
【図６】図５のＩＩＩ−ＩＩＩ矢視断面図である。
【図７Ａ】切削ブロック部を切削した後の状態を示す斜視図である。
【図７Ｂ】切削された切削ブロック部とベース部とを接続した状態を示す一部断面図である。
【発明を実施するための形態】
【００１３】
本実施形態に係る歯科用アバットメントの接続構造を説明する。各図面中、同一又は相当する部分には同一の符号を付しており、重複説明は適宜簡略化ないし省略する。図面は、部材もしくは部品間の相対比を示すことを目的としない。したがって、具体的な寸法は、以下の限定的でない実施形態に照らし、当業者により決定することができる。
【００１４】
図１は、本実施形態に係る歯科用アバットメントの接続構造を説明する全体図である。説明の関係上、図示上のベース部１は正面図を示し、切削ブロック部２は縦断面図を示している。更に云うと、切削ブロック部２は、図２のＩ−Ｉ矢視断面図を示している。
【００１５】
本実施形態の歯科用アバットメントは、ベース部１と切削ブロック部２から構成されている。本発明は、顎骨内に埋入されたインプラントフィクスチャー（不図示）の口腔内側（矢印Ｙ１側）に嵌合されるベース部１の埋入部１３を、切削ブロック部２の埋入孔２３内に挿入して両者を接続する接続構造である。なお、本実施形態の切削ブロック部２は、予め埋入孔２３が形成されている切削ブロック部を使用している。また本実施形態の切削ブロック部２は、切削後の歯科用補綴物を含む。
【００１６】
先ず図１〜図３を参照しながら切削ブロック部２の構成を説明する。図２は、切削ブロック部を底面から見た底面図である。図３は、図２のＩＩ−ＩＩ矢視断面図である。
【００１７】
切削ブロック部２は、切削部２１、貫通孔２２、埋入孔２３を有している。切削ブロック部２は、ジルコニアやチタンなどの材質であってよい。切削ブロック部２は、切削部２１を利用者の歯型に切削して歯科用補綴物が形成されてよい。
【００１８】
貫通孔２２は、切削部２１を貫通する筒形形状の貫通孔であり、インプラントフィクスチャー内に螺設されている雌ねじに螺入されるボルトが挿入される。
【００１９】
埋入孔２３は、貫通孔２２の下方側（矢印Ｙ２側）に形成される、ベース部１の埋入部１３が挿入される孔である。埋入孔２３は、略筒形形状とされ、貫通孔２２より若干径が大きく、段部２３ａが形成されている。
【００２０】
本発明は、埋入孔２３の構成に特長がある。本実施形態の埋入孔２３は、内周面２３ｂに第１平坦面２４と突起部２５を有している。
【００２１】
第１平坦面２４は、所謂Ｄカットにより形成される。第１平坦面２４は、切削ブロック部２の軸方向（矢印Ｙ１−Ｙ２方向）に沿って延在されている。第１平坦面２４は、貫通孔２２の内周面の延長方向の曲面と接しない範囲で、ベース部１の埋入部１３における軸方向（矢印Ｙ１−Ｙ２方向）の長さ以上に亘り広く付与することが好ましい。
【００２２】
突起部２５は、平面視が三角形状（図２参照）で、正面視が菱形形状（図１参照）を有している。突起部２５は、第１平坦面２４の対角線上に設置されてよい。また、突起部２５は、下方に向かって幅狭になるテーパ面２５ａを有している。突起部２５は、上記した切削可能なジルコニアやチタン、及びジルコニアとチタンとの複合材などで形成されている。つまり突起部２５は、後述するベース部１の埋入部１３の形状に合わせて適度に切削される。突起部２５は、内方への最大突出高さが０．１ｍｍ〜０．３ｍｍが好ましい。
【００２３】
したがって、アバットメント製作者が現場で突起部２５の形状（内方への高さ）を微調整することで、ベース部１の埋入部１３を切削ブロック部２の埋入孔２３内の適切な位置に固定することができる。
【００２４】
突起部２５は軸方向に延在し、埋入孔２３の内方（矢印Ｙ１方向）に向かって突出高さが増して行くことが好ましい。突起部２５の軸方向の長さは０．３ｍｍ〜１ｍｍが好ましい。
【００２５】
図示例の第１平坦面２４と突起部２５は、それぞれ内周面２３ｂの一箇所のみ配置されているが、この限りではなく適宜変更されてよい。
【００２６】
次に、図１、図４（Ａ）、図４（Ｂ）を参照しながらベース部１について説明する。図４（Ａ）は、ベース部１の正面図である。図４（Ｂ）は、ベース部１の平面図である。
【００２７】
ベース部１は、歯肉当接部１１、嵌合部１２、埋入部１３、貫通孔１４を有している。
【００２８】
歯肉当接部１１は、インプラントフィクスチャーの口腔内側端面に当接される顎骨側当接面１１ａから口腔内側に先太り状の截頭円錐状に形成されてよい。歯肉当接部１１は、後述する埋入部１３が切削ブロック部２の埋入孔２３内に埋入される際に、当該歯肉当接部１１の口腔内側面がストッパーの役割をなし、埋入部１３が埋入孔２３に深く入りすぎることなく、正確な深さまで埋入させることができる。
【００２９】
嵌合部１２は、歯肉当接部１１の顎骨側当接面１１ａから顎骨側（矢印Ｙ２側）に向けて突設されており、インプラントフィクスチャーの口腔内側の端部に回転しないように嵌合される。また嵌合部１２は、筒形形状を有している。
【００３０】
埋入部１３は、嵌合部１２と反対側（矢印Ｙ１側）に向けて突設され、切削ブロック部２の埋入孔２３に埋入される。したがって、埋入部１３は、埋入孔２３より若干小径に形成されている。また埋入部１３は、筒形形状を有している。歯肉当接部１１と嵌合部１２と埋入部１３とは、それぞれの中心軸が同芯となるように形成されている。
【００３１】
貫通孔１４は、インプラントフィクスチャー内に螺設されている雌ねじに螺入されるボルトが挿入貫通される貫通孔である。貫通孔１４は、嵌合部１２と歯肉当接部１１と埋入部１３とを貫通するように形成されていると共に、貫通孔１４の内部にボルトの頭が当接する段部１４ａが形成されている。また、貫通孔１４の中心軸は、歯肉当接部１１、嵌合部１２及び埋入部１３の中心軸と同芯となるように設けられている。したがって、貫通孔１４に挿入されたボルトが偏ることを防止できるので、このボルトによりベース部と一体となった切削ブロック部２（歯科用補綴物）をインプラントフィクスチャーに強固且つ正確に取り付けることができる。また切削ブロック部２にボルトの頭が当接することを回避できる利点がある。
【００３２】
本発明は、埋入部１３に特長がある。本実施形態の埋入部１３は、外周面１３ａに第１平坦面２４と対応する第２平坦面１５を有している。
【００３３】
第２平坦面１５は、所謂Ｄカットにより形成される。第２平坦面１５は、切削ブロック部２の軸方向（矢印Ｙ１−Ｙ２方向）に沿って延在されている。第２平坦面１５は、第１平坦面２４の幅より小径とされ、ベース部１の埋入部１３が、切削ブロック部２の埋入孔２３に埋入された際に、第１平坦面２４と位置と形状が対応するように形成されている。第２平坦面１５は、埋入部１３の強度を確保するために厚さを０．２ｍｍ以上確保できる範囲で可及的に幅を持たせた方が良く、高さ方向も埋入部１３の軸方向（矢印Ｙ１―Ｙ２方向）のすべてに付与することが好ましい。
【００３４】
上記構成とされたベース部１と切削ブロック部２を接続した状態を、図５、図６に示した。
【００３５】
図５は、ベース部１と切削ブロック部２を接続した状態を示す一部断面図である。図６は、図５のＩＩＩ−ＩＩＩ矢視断面図である。
【００３６】
図示の通り、ベース部１の埋入部１３が、切削ブロック部２の埋入孔２３に埋入された際に、第２平坦面１５は、第１平坦面２４の外側近傍位置に対応配置される。すると、第１平坦面２４と第２平坦面１５が、切削ブロック部２の回転方向の外力に抵抗することができる。
【００３７】
また、切削ブロック部２の突起部２５は、ベース部１の埋入部１３が挿入される際、埋入部１３の外周面１３ａと埋入孔２３の内周面２３ｂとの隙間Ｓを５〜１００μｍ程度確保しつつ、切削ブロック部２の位置ズレが生じない形状に切削される。点線は突起部２５の切削された部分を示している。したがって、切削ブロック部２は、上記した第１平坦面２４と第２平坦面１５、及び突起部２５によりベース部１と強固に接続固定される。斯すると、切削ブロック部２の回転等のズレを確実に防止できる。
【００３８】
埋入部１３の外周面１３ａと埋入孔２３の内周面２３ｂとの隙間Ｓには、歯科用接着剤が充填されることが好ましい。
【００３９】
しかし、本実施形態においては、上述したようにベース部１と切削ブロック部２とは、強固に接続固定されて切削ブロック部２が回転する虞が無いため、歯科用接着剤を充填する工程を省略することが可能である。幅が狭い隙間Ｓへの歯科用接着剤の充填作業は、従来から非常に面倒な作業の一つであった。本実施形態では歯科用接着剤の充填工程を削除できるため、歯科医の作業効率を向上させることができる。
【００４０】
図７（Ａ）に、例えば切削ブロック部２を切削して形成した歯科用補綴物２００（以下、単に切削ブロック部２００ともいう。）の一例を示した。図７（Ｂ）は、切削した切削ブロック部２００とベース部１とを接続した状態を示す参考図である。基本的に切削した切削ブロック部２００は、切削ブロック部２の切削部２１の外周面が切削されている以外は切削ブロック部２と同様である。またベース部１も同様であり、図示した接続構造も図１〜図６と同じである。
【００４１】
以下に、本発明に係るアバットメントを切削ブロック部２及び切削した切削ブロック部２００から形成する手順の一例を説明する。
【００４２】
先ずベース部１を、図１〜図６の如く筒状材や棒状材等を切削加工することにより作製し準備する。このアバットメントの材質は口腔内で使用可能な強度と安全性を有している材料であれば使用可能であり、例えばチタン、チタン合金等の金属が使用できる。なお、ベース部１における歯肉当接部１１および嵌合部１２は、患者の口腔内に装着されたインプラントフィクスチャーと嵌合させるため任意の形状を付与しておく。
【００４３】
続いてインプラントフィクスチャーが埋入された箇所を含む患者の口腔内の形状を歯科用印象材や三次元スキャナーによって採取し、口腔内の形状を再現した模型あるいはコンピュータ上の三次元データを準備する。この模型あるいは三次元データ上で患者に装着する歯牙の機能、形態を付与した人工物の装着位置を決定し、両者の位置関係を固定しうるアバットメントの形状を設計する。
【００４４】
アバットメントの形状は、図１におけるベース部１またはベース部１の歯肉当接部１１および嵌合部１２の形状を再現した治具上に歯科技工用ワックスを盛り上げるか、ベース部１またはベース部１の歯肉当接部１１および嵌合部１２の形状を再現した三次元データ上に三次元データを付け足すことで得ることができる。
【００４５】
設計されたアバットメントの外形からベース部形状を除いた部分の形状を三次元計測機等を使用してコンピュータのＣＡＤソフトウェアで扱える三次元データに変換する。
【００４６】
続いてこの三次元データを基にＣＡＤソフトウェアを用いて、ベース部１の埋入部１３と嵌合する図２、図３の如くの突起部２５および第１平坦面２４の形態を付与した埋入孔２３を設計する。
【００４７】
実際上は、使用するベース部１の埋入部１３に合わせて予め設計しておいた三次元データを合成すればよい。このようにして設計された図７（Ａ）に示した如くの形態の三次元データを作成する。
【００４８】
ＣＡＤ／ＣＡＭ加工機に直方体状のセラミックス製の切削ブロック部２を装着して、設計済の三次元形状データに基づいて、切削された切削ブロック部２を切削加工する。
【００４９】
なお使用する切削ブロック部２については、予め埋入孔２３が形成されている切削ブロック部を使用することができ、図１〜図６で使用した切削ブロック部２に該当する。
【００５０】
例えば、金型等から切削ブロック部そのものを製造する際に、埋入孔２３は各患者に依存しない規格形状であるから、埋入孔２３も金型等により同時に形成されるようにすればよい。つまり同一形状の埋入孔２３を、何度も切削加工する必要がないため効率が良い。
【００５１】
なお、使用するセラミックス製の切削ブロック部が焼結体の場合は、予め形成された埋入孔２３は焼結後において多少の寸法誤差が生じる場合があるが本実施形態では、突起部２５を適切に切削することにより上記誤差分を調整できる。
【００５２】
上記のようにして作製した切削ブロック部２とベース部１を使用して実際に治療するには、先ず本発明に係るベース部１の埋入部１３の外周面１３ａや、切削した切削ブロック部２００の埋入孔２３の内周面２３ｂに、歯科用接着剤を塗布して、ベース部１の埋入部１３を切削ブロック部の埋入孔２３に挿入して接着固定する。
【００５３】
このようにして得られたアバットメントを患者の口腔内のインプラントフィクスチャーに装着し、アバットメントのボルト挿入貫通穴からボルトを挿入して、インプラントフィクスチャーに螺設されている雌ねじにボルトを螺入して固定する。このようにして口腔内に固定されたアバットメント上に歯牙の機能、形態を付与した人工物を接合させ、インプラント治療が完了する。
【００５４】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００５５】
また、本願は、日本国に２０１６年３月３０日に出願された基礎出願２０１６−６７９６１号に基づく優先権を主張するものであり、これらの日本国特許出願の全内容を本願に参照により援用する。
【符号の説明】
【００５６】
１        ベース部
１１      歯肉当接部
１２      嵌合部
１３      埋入部
１４      貫通孔
１５      第２平坦面
２        切削ブロック部
２１      切削部
２２      貫通孔
２３      埋入孔
２３ｂ    内周面
２４      第１平坦面
２５      突起部
２００    切削された切削ブロック部
【図１】
0006619872.tif 000002
【図２】
0006619872.tif 000003
【図３】
0006619872.tif 000004
【図４Ａ】
0006619872.tif 000005
【図４Ｂ】
0006619872.tif 000006
【図５】
0006619872.tif 000007
【図６】
0006619872.tif 000008
【図７Ａ】
0006619872.tif 000009
【図７Ｂ】
0006619872.tif 000010